(57)【要約】【課題】電車内やシヨッピング中などでは，持参した傘を何時も持っていなければならず，手が自由に使えない。傘を自立させるタイプも種々提案されているが，構造が複雑で，壊れ易く，コストが高い問題を有している。本提案は，極めて簡単で，低コストな構造で傘を直立保持することが出来るため，傘を保持した状態でも，手を自由に使うことが出来る傘保持具を提案する。【解決手段】傘の先端部を傘台に取り付けて，傘と傘の保持者の着衣をストラップで繋ぐことによって，極めて簡単で低コストな構造で，立った状態でも，座った状態でも，傘を保持者の近傍に直立保持でき，傘を保持した状態で手を自由に使うことが可能な傘保持具を提供する。【選択図】図１
0003130069.tif 000002
【実用新案登録請求の範囲】
【請求項１】
近傍の人の邪魔にならない程度の大きさの台座の中央に，傘を直立保持する保持部を設けた傘台と，傘の柄部への取り付け材，連結材，ならびにロック機構を備えるストラップで構成される傘保持具において，傘の先端部に取り付けた傘台を床上に置き，傘の柄部に取り付けられたストラップのロック機構を着衣に繋ぐことで，持参した傘を身体の近傍に直立保持できることを特徴とする傘保持具を提供する。
【考案の詳細な説明】
【技術分野】
【０００１】本考案は，立っている時でも，座っている時でも，持参した傘を身体の近傍に直立保持する事が出来る傘保持具に関する。
【背景技術】
【０００２】傘を使う雨天の日は，電車内やショツピング中などでは，持参した傘をずっと持って居らなければならず，疲れるとともに手を自由に使えない不自由さが有る。手を使いたい場合は，傘を何処かに置かなければならず，傘を置き忘れることも有る。また，自立して置いておける傘に関しては，石突き部が放射状に開くものなど種々提案されてはいるが，構造的に複雑で，壊れやすく，コストがかかるなどの問題を有している。
【考案が解決しようとする課題】
【０００３】本考案は，上記する課題を解決するためになされるものであり，極めて簡単に低コスな構造で，傘を安定的に直立保持できるとともに，手を自由に使うことができ，傘を置き忘れることも無い傘保持具を提案するものである。
【課題を解決するための手段】
【０００４】電車内やショツピング中などに持参した傘を手に持たずに自立させる構造は，種々提案されているが，例えば紳士用の傘は４００ｇ程度の重さと，８０ｃｍ程度の長さが有り，電車の揺れなどを考慮すれば傘自体を自立させることは容易では無いとともに，構造が複雑となり，壊れやすく，コストが高い難点を有している。しかるに本考案はかかる問題を解決するものであり，傘の直立保持を傘の保持者が補うことで，簡単な構造で，低コストで，傘の保持者が立った状態でも，座った状態でも傘を身体の近傍に直立保持できる傘保持具を提供する。
【考案の効果】
【０００５】本考案は，傘を単体で自立させる構造とはせず，傘を傘台により直立させるとともに，傘と保持者の着衣をストラップで繋いで倒れを防止することによって，安定した直立保持を実現するものであり，保持者が立っていても，座っていても，保持者の近傍で確実に傘を直立保持することが出来るため，保持者は手を使って本を読むことも出来るとともに，傘を置き忘れることも無い。また，傘を単体で自立させる場合と比較すれば，傘台の面積は大幅に小さくて良く，隣に立っている人や，座っている人の邪魔になることも少ない。さらに，本考案の傘保持具は，傘保持具を構成する傘台とストラップの何れもが，傘の本体に取り付けられる構造のため，部品を紛失したり，必要な時に部品を所有していないために使えないことも無いなど，大変便利な構成である。
【考案を実施するための最良の形態】
【０００６】本考案の実施状況を図１ならびに図２に示す。図１は傘の保持者が立っている状態での使用例を示し、図２は座っている状態での使用例を示している。２は傘の先端に取り付けられている傘台を示し，３は傘と傘の保持者の着衣を繋ぐストラップである。傘１は傘台とストラップのロック機構による着衣への繋ぎが相互補完して直立保持される。【０００７】図３は傘の先端に取り付ける傘台を示す。傘台は床上に置く台座４と台座の中央に直立して配置される保持部５からなる。本実施例は傘先端の石突きに傘台の保持部を挿入して取り付ける構成であるため，保持部は筒状で，中空部に石突きを挿入する。したがって，保持部のサイズは石突きの長さと径により決定する。台座の面積は，大きいほど傘の直立性は良くなるが，隣に立つ人や座る人の邪魔にならないように適切な大きさを選択する。傘台の形状は，傘の直立安定性の観点から，例えば円形のように左右ならびに上下は対称な形状とする。使用する材質は合成ゴム材とし，石突きを保持部の中空に挿入する際はゴムの伸縮性を利用して，傘による石突きの径の違いを吸収する。【０００８】図４は傘と傘の保持者を繋ぐストラップを示し，図５は傘の柄部１１に取り付けられたストラップを示す。取り付け材６は傘の柄部１１に取り付けられるとともに，傘と保持者とを連結する連結材７は，調節部１０で長さが調節できる構造とする。傘と保持者との距離の調整は，傘が雨で濡れている場合などに着衣を汚さないために有効であるが，長すぎると傘は倒れ易くなる。傘と着衣とはロック機構８で繋がれる。連結材は取り付け材に回転フリーなピン９で取り付けられ，ピンを中心として回転できるため，ロック機構を着衣と繋ぐ場合に，繋ぎ易い場所や，繋ぐ方向を選べる構造となっている。立った状態では，ロック機構はズボン，スカートの側面に，座った状態では，上着や袖の側面に繋がれる場合が多い。【０００９】以上説明するように，本考案の傘保持具は傘を単体で自立させる方式と比較して，非常にシンプルな構造にも係らず，極めて安定した直立状態が保持される，とともに，傘保持具を構成する全ての部品が傘本体に取り付けられているため，部品を紛失することも無く，直立させたいときに部品が無いなどというトラブルは皆無である。
【実施例】
【００１０】傘台はゴム材で構成し，台座は近傍の人への干渉を考慮して直径６ｃｍの円形とし，厚みは５ｍｍとした。保持部は外径１８ｍｍの筒型とし，石突きを挿入する中空部は内径８ｍｍとし，ゴムの伸縮性を利用して８ｍｍ〜１２ｍｍ程度の石突き径をカバーする。保持部の長さは６ｃｍとした。【００１１】傘台の材質はゴム材，樹脂材など選択肢は多く，傘台を一体で構成しなくても良く，例えば台座は樹脂材，保持部はゴム材でも良い。台座の形状は左右，上下は対称形が望ましく，円形，楕円形，正方形，長方形などが適している。台座のサイズは近傍の人の邪魔にならなければ，広ければ広いほど直立保持が安定する。【００１２】傘を着衣に繋ぐストラップは取り付け材，連結材，ロック機構で構成されるが，取り付け材は，厚さ１ｍｍのアルミ材を用いて連結材を回転フリーなピンで結合する。取り付け材は接着テープなどで傘の柄部に固定する。連結材は傘と着衣との距離を選ぶため，３ｃｍ〜６ｃｍの距離で調節出来る調整部を有する。連結材は厚さ２ｍｍ，幅１５ｍｍのゴムバンドとした。【００１３】傘台２の保持部５の筒の外形を２８ｍｍ，中空の内径を１８ｍｍとして，図６に示す外形が１８ｍｍで内径が種々のサイズのアダプターを用意して保持部に挿入して，傘の石突きを挿入すれば，多様な石突きのサイズに適応できる。また，石突きがネジで取り外しできる傘に関しては，台座に直接石突きを取り付けても良いなど，本考案は実施例に限定されることは無く，本考案の趣旨を逸脱しない範囲で種々応用実施が可能である。
【図面の簡単な説明】
【０００１４】
【図１】立った状態で傘を直立保持しているイメージ図
【図２】座った状態で傘を直立保持しているイメージ図
【図３】傘の先端部に取り付ける傘台の概観斜視図
【図４】傘を着衣に繋ぐストラップの概念斜視図
【図５】傘の柄部にストラップを取り付けた概念斜視図
【図６】石突きの径の違いを調整するアダプターの概念斜視図
【符号の説明】
１  傘
２  傘台
３  ストラップ
４  台座
５  保持部
６  取り付け材
７  連結材
８  ロック機構
９  ピン
１０  調節材
１１  柄部
【図１】
0003130069.tif 000003
【図２】
0003130069.tif 000004
【図３】
0003130069.tif 000005
【図４】
0003130069.tif 000006
【図５】
0003130069.tif 000007
【図６】
0003130069.tif 000008
【手続補正書】
【提出日】平成18年11月20日(2006.11.20)
【手続補正１】
【補正対象書類名】実用新案登録請求の範囲
【補正対象項目名】全文
【補正方法】変更
【補正の内容】
【実用新案登録請求の範囲】
【請求項１】
近傍の人の邪魔にならない程度の大きさの台座の中央に，傘を直立保持する保持部を設けた傘台と，傘の柄部への取り付け材，連結材，ならびにロック機構を備えるストラップで構成される傘保持具において，傘の先端部に取り付けた傘台を床上に置き，傘の柄部に取り付けられたストラップのロック機構を着衣に繋ぐことで，持参した傘を身体の近傍に直立保持できることを特徴とする傘保持具。